(57)【特許請求の範囲】
【請求項１】
宅配物を保管する宅配ボックスと、宅配ボックスを開閉制御するためのコントローラとを備えた宅配ボックスシステムであって、宅配ボックス内部に、コントローラを収納するコントローラ収納部と、コントローラ収納部に近接してインターネット通信装置を収納する通信装置収納部とを設けると共に、宅配ボックスの前方から通信装置収納部内に挿入されたインターネット通信装置を通信装置収納部内の所定位置に着脱可能に保持するための保持手段と、宅配ボックスの前方からインターネット通信装置をその保持位置で固定するための固定手段とを設け、上記保持手段は、通信装置収納部の天井部に前後方向に取り付けられた上レールに対して、宅配ボックスの前方からインターネット通信装置に取り付けられた下レールをスライド嵌合させる構成とされ、上記固定手段は、通信装置収納部の前部に取り付けたねじ止め部と、インターネット通信装置の上記ねじ止め部との対向位置に取り付けたねじ孔部と、宅配ボックスの前方よりねじ孔部からねじ止め部に締め付け可能とされるねじ具とから構成され、通信装置収納部のねじ止め部が上レールの前方を覆わない位置に配置され、下レールを上レールの奥までスライド挿入したときに、ねじ止め部の前面にねじ孔部が前後に重なり合って位置合わせ可能に構成されたことを特徴とする宅配ボックスシステムのインターネット通信装置の取付構造。
【請求項２】
コントローラ収納部及び通信装置収納部の前方を扉で塞いだことを特徴とする請求項１記載の宅配ボックスシステムのインターネット通信装置の取付構造。
【発明の詳細な説明】
【０００１】
【発明の属する技術分野】
本発明は、宅配ボックスシステムのインターネット通信装置の取付構造に関するものである。
【０００２】
【従来の技術】
近年、マンション等の集合住宅においては、複数の宅配ボックスを並設して設置し、宅配物等の荷物を、その配達先の居住者が不在の場合でも複数並設された宅配ボックスの１つに入れて保管しておき、帰宅した配達先の居住者が該居住者が住む部屋毎に与えられている暗唱番号を入力することで該当する宅配ボックスを開いて荷物を取り出せるように構築されている宅配ボックスシステムが普及しつつある。
【０００３】
このような宅配ボックスシステムは、集合住宅の管理人や外部のシステム管理会社が管理しているが、宅配ボックスへの着荷の確認や、配達者に受領の捺印をしたことの確認等の宅配ボックスの着荷による使用状態の変化や、宅配ボックスからの荷物の取り出し（受け取り）による宅配ボックスの受け取りによる使用状態の変化を正確に把握して管理する必要がある。このような宅配ボックスの使用状態管理を行うにあたってインターネットを介して管理することが要望されている。
【０００４】
ところで、上記のような宅配ボックスシステムにインターネットを接続しようとした場合、その間を中継する機能が必要となる。その方法には、その機能を構成する部材を個別に宅配ボックス内に取り付ける方法と、それらの部材をユニット化（モジュール化）したインターネット通信装置を宅配ボックス内に取り付ける方法との２通りがある。
【０００５】
後者の場合は、さらに、図８（ａ）のように宅配ボックス１内部のコントローラ３が設置される棚７０の下面に、インターネット通信装置８をねじ５０で直接固定する場合と、図８（ｂ）のようにインターネット通信装置８の上面に取り付けたＬ形ブラケット５１を、ねじ５２で宅配ボックス１の側壁面に固定する場合とがある。
【０００６】
【発明が解決しようとする課題】
ところが、上記図８（ａ），（ｂ）の従来例では、いずれも、宅配ボックス１内のインターネット通信装置８を手で支えながら、ねじ止めしなければならず、困難な作業を強いられる。特に図８（ａ）の方法では、宅配ボックス１内部で下方向からねじ５０を締め付けてインターネット通信装置８全体を固定しなければならないものであり、また図８（ｂ）の方法では、狭いスペースＳ内で横方向からねじ５２を締め付けてＬ形ブラケット５１を宅配ボックス１にねじ固定しなければならず、狭いスペースＳで無理な作業を強いられるうえに、Ｌ形ブラケット５１の分だけインターネット通信装置８の取り付け位置が下方にさがり、その分だけ宅配ボックス１の収納スペースＳ1が狭くなり、宅配ボックス１本来の機能が損なわれるという問題もある。
【０００７】
本発明は、上記の従来例の問題点に鑑みて発明したものであって、その目的とするところは、宅配ボックスの通信装置収納部内にインターネット通信装置を固定する際にインターネット通信装置を手で支えておく必要がなく、固定作業がはかどるうえに、インターネット通信装置の着脱作業をすべて宅配ボックスの前方から行うことが可能となり、宅配ボックスシステムの組み立て作業性、メンテナンス作業性の向上を図ることができる宅配ボックスシステムのインターネット通信装置の取付構造を提供するにあり、他の目的とするところは、宅配ボックスの収納スペースを一層確保でき、またインターネット通信装置の固定作業が一層はかどり、さらに悪戯や盗難等を未然に防止できる宅配ボックスシステムのインターネット通信装置の取付構造を提供するにある。
【０００８】
【課題を解決するための手段】
上記課題を解決するために請求項１の発明にあっては、宅配物を保管する宅配ボックス１と、宅配ボックス１を開閉制御するためのコントローラ３とを備えた宅配ボックスシステムであって、宅配ボックス１内部に、コントローラ３を収納するコントローラ収納部４と、コントローラ収納部４に近接してインターネット通信装置８を収納する通信装置収納部５とを設けると共に、宅配ボックス１の前方Ａから通信装置収納部５内に挿入されたインターネット通信装置８を通信装置収納部５内の所定位置に着脱可能に保持するための保持手段９と、宅配ボックス１の前方Ａからインターネット通信装置８をその保持位置で固定するための固定手段１０とを設け、上記保持手段９は、通信装置収納部５の天井部１１に前後方向に取り付けられた上レール１２に対して、宅配ボックス１の前方からインターネット通信装置８に取り付けられた下レール１３をスライド嵌合させる構成とされ、上記固定手段１０は、通信装置収納部５の前部に取り付けたねじ止め部１４と、インターネット通信装置８の上記ねじ止め部１４との対向位置に取り付けたねじ孔部１７と、宅配ボックス１の前方Ａよりねじ孔部１７からねじ止め部１４に締め付け可能とされるねじ具１６とから構成され、通信装置収納部５のねじ止め部１４が上レール１２の前方を覆わない位置に配置され、下レール１３を上レール１２の奥までスライド挿入したときに、ねじ止め部１４の前面にねじ孔部１７が前後に重なり合って位置合わせ可能に構成されたことを特徴としており、このように構成することで、宅配ボックス１に収納したコントローラ３に通信コード６０を介してインターネット通信装置８を接続し、このインターネット通信装置８を宅配ボックス１の前方Ａから通信装置収納部５内に挿入して保持手段９にて保持しながら固定手段１０にて固定できるようになる。これによりインターネット通信装置８を固定する作業の途中で狭い通信装置収納部５内でインターネット通信装置８を手で支えておく必要がなくなる。さらにインターネット通信装置８の着脱作業をすべて宅配ボックス１の前方Ａから行えるようになるので、宅配ボックスシステムの組み立て作業、メンテナンス作業が容易となる。
【０００９】
また上記保持手段９は、通信装置収納部５の天井部１１に前後方向に取り付けられた上レール１２に対して、宅配ボックス１の前方Ａからインターネット通信装置８に取り付けられた下レール１３をスライド嵌合させる構成とされていて、宅配ボックス１の前方Ａからインターネット通信装置８を挿入する動作に合わせて、インターネット通信装置８の下レール１３を通信装置収納部５の上レール１２にスライド嵌合できるようになり、宅配ボックス１の前方Ａからインターネット通信装置８を着脱できる構造となる。しかも、インターネット通信装置８の挿入方向と上レール１２と下レール１３との嵌合方向とを一致させることができるので、インターネット通信装置８を通信装置収納部５に対して簡単且つ確実に保持できるようになると共に、インターネット通信装置８を通信装置収納部５の天井部１１に近づけて取り付けることができるので、収納スペースをコンパクト化でき、宅配ボックス１の収納スペースを一層確保できるようになる。
【００１０】
また上記固定手段１０は、通信装置収納部５の前部に取り付けたねじ止め部１４と、インターネット通信装置８の上記ねじ止め部１４との対向位置に取り付けたねじ孔部１７と、宅配ボックス１の前方Ａよりねじ孔部１７からねじ止め部１４に締め付け可能とされるねじ具１６とからなるので、宅配ボックス１の前方Ａからインターネット通信装置８を挿入して保持した後に、宅配ボックス１の前方Ａからねじ具１６を用いてインターネット通信装置８のねじ孔部１７と通信装置収納部５のねじ止め部１４とを締結固定できるようになり、インターネット通信装置８を挿入する方向と同じ方向からインターネット通信装置８を固定する作業できるようになるので、インターネット通信装置８をねじ具１６を用いて簡単且つ確実に固定できると共に、ねじ孔部１７とねじ止め部１４との位置合わせ作業が不要となり、固定作業が一層はかどる。
【００１１】
また上記通信装置収納部５のねじ止め部１４が上レール１２の前方Ａを覆わない位置に配置されているから、インターネット通信装置８の下レール１３を上レール１２にスライド嵌合させる際にねじ止め部１４が邪魔にならず、インターネット通信装置８を通信装置収納部５に保持する作業が一層はかどる。
【００１２】
請求項２の発明にあっては、上記コントローラ収納部４及び通信装置収納部５の前方Ａを扉１８で塞いでいるから、コントローラ３やインターネット通信装置８を他人が勝手に操作したり、悪戯されるのを防止できるようになる。
【００１３】
【発明の実施の形態】
以下、本発明を添付図面に示す実施形態に基づいて説明する。
【００１４】
本実施形態の宅配ボックスシステムは、インターネットを介して宅配ボックス１の着荷や宅配ボックス１の使用状態を通知したり、監視したりするものである。すなわち、宅配ボックス１の使用状態のホームページを作成してインターネット端末装置から該ホームページを閲覧して使用状態を監視して宅配ボックス１の管理ができるようにしている。
【００１５】
図２は、宅配ボックスシステムの一例を示しており、この実施形態では各住戸と管理人・管理会社等との間でイントラネットシステムや各住戸が外部インターネットへ自在に接続可能としたインターネットシステムを予め導入したマンション（いわゆるインターネットマンション）に本発明の宅配ボックスシステムを組み込んだ例である。
【００１６】
図２において、符号１５はインターネット端末装置を示し、このインターネット端末装置１５としては、管理人が使用する管理用インターネット端末１５ａ、各住戸用のインターネット端末１５ｂ、外部管理用インターネット端末１５ｃ、携帯電話やＰＨＳ等のモバイルインターネット端末１５ｄ、外部インターネット端末１５ｅがある。
【００１７】
ここで、集合住宅においてはＷＷＷサーバー６、管理人が使用する管理用インターネット端末１５ａ、各住戸用のインターネット端末１５ｂ、宅配ボックス１のコントローラ３、撮像手段２の機器がＬＡＮ接続され、ルータ７を通じて外部のインターネットに接続され、インターネット端末装置からＷＷＷサーバー６にアクセスして前記ホームページ上にて宅配ボックス１の使用状態を閲覧可能となっている。
【００１８】
集合住宅に設置される宅配ボックス１は、複数個並設して構成してあり、集合住宅の全所帯で上記複数の宅配ボックス１を共同使用できるようになっており、配達された荷物が複数の宅配ボックス１のうち空いている任意の宅配ボックス１に収納して施錠され、配達された荷物を取り出すには、配達先の居住者が該居住者が住む部屋毎に与えられている暗唱番号を入力（或いは磁気カードを挿入）することで、該当する宅配ボックス１を開いて荷物を取り出せるようになっている。
【００１９】
次に、上記宅配ボックス１の一部には、図１に示すように、コントローラ３を収納するコントローラ収納部４と、コントローラ収納部４に近接してインターネット通信装置８を収納する通信装置収納部５とが設けられている。
【００２０】
通信装置収納部５の天井部１１の左右両側には、図４に示すように、前後方向（図４の紙面に対して垂直方向）に延びるように左右一対の上レール１２が取り付けられている。各上レール１２は、宅配ボックス１の前方Ａから通信装置収納部５内に挿入されたインターネット通信装置８を通信装置収納部５内の所定位置に保持するためものであり、本例では、各上レール１２は、断面略Ｚ字形をした２本の平行なレール構成部材１２ａ，１２ｂからなり、両方のレール構成部材１２ａ，１２ｂの上端部２４はそれぞれ天井部１１に溶接、或いは後付けする場合を考慮してねじ止め等によって固定されている。一方のレール構成部材１２ａの下横片２１と他方のレール構成部材１２ｂの下横片２２との間には、前方Ａ（図１）及び横方向Ｂに開口したレール溝２３が形成されている。
【００２１】
一方、インターネット通信装置８の外殻上面の左右両側には、宅配ボックス１の前方Ａから上レール１２に対してスライド嵌合可能となった一対の下レール１３が取り付けられている。図４の例では、各下レール１３は断面略コ字状に形成され、その全長に亘って上横片２５と縦片２６とからなる断面逆Ｌ形の鉤条部２７が突設されている。また下レール１３の水平部２８には複数のねじ螺合孔（図示せず）が設けられており、インターネット通信装置８の外殻上面の左右両端には、図５〜図７に示すように、つば状をした突出片３０が突出しており、この突出片３０に下レール１３のねじ螺合孔と対応する位置にだるま孔３１が設けられており、突出片３０の下方からねじ３２をだるま孔３１を介して下レール１３に締結することによって、下レール１３がインターネット通信装置８の上面に固定されている。この下レール１３と前記上レール１２とでインターネット通信装置８を通信装置収納部５に対して着脱可能に保持する保持手段９が構成されている。
【００２２】
さらに、上記通信装置収納部５及びインターネット通信装置８の前部には、宅配ボックス１の前方Ａからインターネット通信装置８をその保持位置で固定するための固定手段１０が設けられている。図４に示す例では、通信装置収納部５における上レール１２の前端部に、ねじ止め部１４が垂設されている。ねじ止め部１４は、上レール１２を構成する一方のレール構成部材１２ａの前端部に設けられたＬ字状のねじ孔４０付き垂下片１４ａにより構成され、且つこのねじ止め部１４は上レール１２のレール溝２３の前方Ａを塞がないようにレール溝２３よりも横方向イ（図４）にずれて配置されており、これにより下レール１３の鉤条部２７を上レール１２のレール溝２３にスライド嵌合させる際にねじ止め部１４が邪魔にならないようにしてある。
【００２３】
一方、インターネット通信装置８の前部には、インターネット通信装置８を通信装置収納部５内に保持した状態で上記ねじ止め部１４に対向して配置されるねじ孔部１７が設けられている。本例では、ねじ孔部１７は、下レール１３の水平部２８の前端部において上方に突出したねじ孔４１付き立ち上がり片１７ａにより構成されており、下レール１３を上レール１２の奥までスライド挿入したときに、ねじ止め部１４の前面にねじ孔部１７が重なり合って位置合わせされるようになっており、これにより、宅配ボックス１の前方Ａからねじ具１６をねじ孔部１７を通してねじ止め部１４に簡易に締結可能となっている。
【００２４】
上記コントローラ収納部４及び通信装置収納部５の前方Ａは、１枚の共通の扉１８で塞がれている。この扉１８には施錠機構が取り付けられており、盗難等の防止が図られている。
【００２５】
しかして、インターネット通信装置８を取り付けるにあたっては、宅配ボックス１内のコントローラ収納部４に収納されたコントローラ３に通信コード６０（図６）を介してインターネット通信装置８を接続し、このインターネット通信装置８の下レール１３を宅配ボックス１の前方Ａから通信装置収納部５内の上レール１２にスライド挿入して保持し、この保持状態で宅配ボックス１の前方Ａからねじ具１６をねじ孔部１７からねじ止め部１４に締め込むことで、インターネット通信装置８を通信装置収納部５に対して着脱可能に固定できる。これによりインターネット通信装置８をねじ具１６で固定する作業の途中で狭い通信装置収納部５内でインターネット通信装置８を手で支えておく必要がなく、固定作業が容易となり、作業性が改善される。
【００２６】
また、宅配ボックス１の前方Ａからインターネット通信装置８を挿入する方向と、上レール１２と下レール１３とをスライド嵌合させる方向とが一致しているため、宅配ボックス１の前方Ａからインターネット通信装置８を通信装置収納部５の天井部１１に対して簡単且つ確実に保持できるようになり、そのうえ上レール１２の奥まで下レール１３を挿入したときに、インターネット通信装置８のねじ孔部１７と通信装置収納部５のねじ止め部１４とが前後に重なり、位置合わせされるので、宅配ボックス１の前方Ａからねじ具１６をねじ孔部１７からねじ止め部１４に対して容易にねじ止めできるようになる。しかも宅配ボックス１の前方Ａから左右の２箇所でねじ止めするだけでよいので、固定作業が一層容易となり、そのうえ、ねじ孔部１７とねじ止め部１４との位置合わせが不要となるため締結作業が一層はかどる。このようにインターネット通信装置８の取り付け作業（取り外し作業も同様）をすべて宅配ボックス１の前方Ａから行うことができるので、宅配ボックスシステムの組み立て作業性、メンテナンス作業性がきわめて良くなるものである。
【００２７】
また、インターネット通信装置８を通信装置収納部５の天井部１１に近づけて取り付けることができるので、通信装置収納部５の省スペース化を図ることができ、結果的に宅配ボックスシステム全体のコンパクト化を図ることができる。
【００２８】
また本例では通信装置収納部５のねじ止め部１４を上レール１２の前方Ａを覆わない位置に配置してあるので、インターネット通信装置８の下レール１３を上レール１２にスライド嵌合させる際にねじ止め部１４が邪魔にならず、インターネット通信装置８を通信装置収納部５に保持する作業がはかどり、宅配ボックスシステムの組み立て性の一層の向上を図ることができる。
【００２９】
さらに、コントローラ収納部４及び通信装置収納部５の前方Ａを扉１８で塞いだことによって、コントローラ３及びインターネット通信装置８を他人が勝手に操作したり、悪戯されるのを防止でき、これにより、宅配物の盗難等を未然に防ぐことができる。また２つの収納部を１枚の共通の扉１８で塞ぐことにより、部品点数を削減でき、宅配ボックスシステムの構造の簡略化を図ることができる。
【００３０】
なお、インターネット通信装置８は、必ずしも工場出荷時に宅配ボックス１内に取り付けられている必要はなく、ユーザーの要望により後付けによって取り付け可能である。例えば、通信装置収納部５の天井部１１に上レール１２のみを取り付けて出荷したり、或いは上レール１２に下レール１３のみを取り付けて出荷することにより、施工時或いは施工後において、必要に応じてインターネット通信装置８の後付けが可能となり、ユーザーの要望に即座に対応できるものとなる。つまり、インターネット通信装置８の外殻上面に予め簡単な孔加工（本例では、だるま孔３１）を施しておくだけで、後から下レール１３を取り付けることができるので、簡単にインターネット接続できるようになる。またこのような簡易な取り付け構造を採用することで、コントローラ３との配線も簡単になり、無駄なコストを費やすこともないものである。
【００３１】
【発明の効果】
上述のように請求項１記載の発明にあっては、宅配物を保管する宅配ボックスと、宅配ボックスを開閉制御するためのコントローラとを備えた宅配ボックスシステムであって、宅配ボックス内部に、コントローラを収納するコントローラ収納部と、コントローラ収納部に近接してインターネット通信装置を収納する通信装置収納部とを設けると共に、宅配ボックスの前方から通信装置収納部内に挿入されたインターネット通信装置を通信装置収納部内の所定位置に着脱可能に保持するための保持手段と、宅配ボックスの前方からインターネット通信装置をその保持位置で固定するための固定手段とを設け、上記保持手段は、通信装置収納部の天井部に前後方向に取り付けられた上レールに対して、宅配ボックスの前方からインターネット通信装置に取り付けられた下レールをスライド嵌合させる構成とされ、上記固定手段は、通信装置収納部の前部に取り付けたねじ止め部と、インターネット通信装置の上記ねじ止め部との対向位置に取り付けたねじ孔部と、宅配ボックスの前方よりねじ孔部からねじ止め部に締め付け可能とされるねじ具とから構成され、通信装置収納部のねじ止め部が上レールの前方を覆わない位置に配置され、下レールを上レールの奥までスライド挿入したときに、ねじ止め部の前面にねじ孔部が前後に重なり合って位置合わせ可能に構成されたので、インターネット通信装置を宅配ボックスの前方から通信装置収納部内に挿入して着脱可能に保持しながら、宅配ボックスの前方からインターネット通信装置をその保持位置で固定できるようになり、これにより、インターネット通信装置を固定手段にて固定する作業の途中で狭い通信装置収納部内でインターネット通信装置を手で支えておく必要がなく、固定作業が容易となり、さらにインターネット通信装置の着脱作業を宅配ボックスの前方から行えるので、宅配ボックスシステムの組み立て作業性、メンテナンス作業性がきわめて良くなる。
【００３２】
また、請求項１記載の発明は、保持手段は、通信装置収納部の天井部に前後方向に取り付けられた上レールに対して、宅配ボックスの前方からインターネット通信装置に取り付けられた下レールをスライド嵌合させてなるので、宅配ボックスの前方からインターネット通信装置を通信装置収納部の天井部に対して簡単且つスムーズに保持できる構造となり、しかもインターネット通信装置の挿入方向と上レールと下レールとの嵌合方向とを一致させることができるので、インターネット通信装置を通信装置収納部内に対して簡単且つ確実に保持でき、作業性が向上する。また、インターネット通信装置を通信装置収納部の天井部に近づけて取り付けることができるので、収納スペースのコンパクト化を図ることができる。
【００３３】
また、請求項１記載の発明は、固定手段は、通信装置収納部の前部に取り付けたねじ止め部と、インターネット通信装置の上記ねじ止め部との対向位置に取り付けたねじ孔部と、宅配ボックスの前方よりねじ孔部からねじ止め部に締め付け可能とされるねじ具とからなるので、インターネット通信装置を挿入する方向と同じ方向からインターネット通信装置を固定する作業できるようになるので、インターネット通信装置をねじ具を用いて簡単且つ確実に固定できるようになり、作業性が向上すると共に、インターネット通信装置を通信装置収納部に保持した状態でねじ孔部とねじ止め部とが対向して配置されるので、ねじ孔部とねじ止め部との位置合わせ作業が不要となり、ねじ具による締結作業が一層はかどり、宅配ボックスシステムの組み立て性の向上を図ることができる。
【００３４】
また、請求項１記載の発明は、通信装置収納部のねじ止め部が上レールの前方を覆わない位置に配置されているので、インターネット通信装置の下レールを上レールにスライド嵌合させる際にねじ止め部が邪魔にならず、インターネット通信装置を通信装置収納部に保持する作業がはかどると共に、宅配ボックスの前方からねじ止めするだけで固定できるので、宅配ボックスシステムの組み立て性の一層の向上を図ることができる。
【００３５】
また、請求項２記載の発明は、請求項１記載の効果に加えて、コントローラ収納部及び通信装置収納部の前方を扉で塞いだので、コントローラやインターネット通信装置を他人が勝手に操作したり、悪戯されるのを防止でき、これにより、宅配物の盗難等を未然に防ぐことができる。
【図面の簡単な説明】
【図１】本発明の実施形態の一例を示す斜視図である。
【図２】同上の宅配ボックスシステムを説明する概略構成図である。
【図３】同上のインターネット通信装置に下レールを取り付けた状態の平面図である。
【図４】同上の天井部に取り付けられた上レールとインターネット通信装置に取り付けられた下レールとを前方から見た分解正面図である。
【図５】（ａ）は同上の下レールが取り付けられていないインターネット通信装置の斜視図、（ｂ）は下レールが取り付けた状態の要部斜視図である。
【図６】（ａ）は同上のインターネット通信装置と通信コードの平面図、（ｂ）は側面図である。
【図７】同上のインターネット通信装置の背面図である。
【図８】（ａ）は従来例の説明図、（ｂ）は他の従来例の説明図である。
【符号の説明】
１  宅配ボックス
３  コントローラ
４  コントローラ収納部
５  通信装置収納部
８  インターネット通信装置
９  保持手段
１０  固定手段
１１  天井部
１２  上レール
１３  下レール
１４  ねじ止め部
１６  ねじ具
１７  ねじ孔部
１８  扉
Ａ  前方
【図１】
0003692972.tif 000002
【図２】
0003692972.tif 000003
【図３】
0003692972.tif 000004
【図４】
0003692972.tif 000005
【図５】
0003692972.tif 000006
【図６】
0003692972.tif 000007
【図７】
0003692972.tif 000008
【図８】
0003692972.tif 000009